(57)【要約】【課題】応力に起因する表示パネルの表示品位の低下を抑制する。【解決手段】液晶表示装置１０は、液晶パネル１１と、液晶パネル１１を取り囲む枠状部１７Ａと液晶パネル１１の外端部を板厚方向について両側から挟み込む表示面側パネル挟持部１３Ａ及び表示面反対側パネル挟持部１７Ｂとを有していて液晶パネル１１と共に液晶モジュール１０Ｍを構成するベゼル１３及びフレーム１７と、液晶モジュール１０Ｍの外端部を板厚方向について両側から挟み込む表示面側モジュール挟持部２２及び表示面反対側モジュール挟持部２４を有するモジュール保持部材２１と、枠状部１７Ａと表示面側モジュール挟持部２２との間に介在するよう配されて表示面側モジュール挟持部２２を表示面側パネル挟持部１３Ａから離間した状態に保つスペーサ２６と、を備える。【選択図】図２
2019109385.tif 000002
【特許請求の範囲】
【請求項１】
画像を表示する表示パネルと、
前記表示パネルを取り囲む枠状部と前記表示パネルの外端部を板厚方向について両側から挟み込む一対のパネル挟持部とを有していて前記表示パネルと共に表示モジュールを構成するパネル保持部材と、
前記表示モジュールの外端部を前記板厚方向について両側から挟み込む一対のモジュール挟持部を有するモジュール保持部材と、
前記枠状部と少なくとも一方の前記モジュール挟持部との間に介在するよう配されて少なくとも一方の前記モジュール挟持部を少なくとも一方の前記パネル挟持部から離間した状態に保つスペーサと、を備える表示装置。
【請求項２】
前記スペーサは、一対の前記モジュール挟持部のうち前記表示パネルに対してその表示面側に配される前記モジュール挟持部と前記枠状部との間に介在するよう配される表示面側スペーサを含む請求項１記載の表示装置。
【請求項３】
前記パネル保持部材は、前記表示パネルに対して前記表示面側に配される前記パネル挟持部を有するベゼルと、前記表示パネルに対して前記表示面側とは反対側に配される前記パネル挟持部と前記枠状部とを有するフレームと、から構成されており、
前記ベゼルの前記パネル挟持部には、前記表示面側スペーサを通すための表示面側開口部が設けられている請求項２記載の表示装置。
【請求項４】
前記フレームは、前記枠状部のうち前記表示パネル側とは反対側の側面から突出する係止部を有しており、
前記ベゼルは、前記枠状部の前記側面と対向する側部を有していて、前記側部には、前記係止部を受け入れて前記係止部が係止される開口縁を有する係止開口部が、前記表示面側開口部に連通するよう設けられている請求項３記載の表示装置。
【請求項５】
前記スペーサは、一対の前記モジュール挟持部のうち前記表示パネルに対して前記表示面側とは反対側に配される前記モジュール挟持部と前記枠状部との間に介在するよう配される表示面反対側スペーサを含む請求項２から請求項４のいずれか１項に記載の表示装置。
【請求項６】
前記表示面側スペーサ及び前記表示面反対側スペーサは、重畳配置されている請求項５記載の表示装置。
【請求項７】
前記表示モジュールは、前記枠状部に対して前記ベゼルの前記パネル挟持部側とは反対側に配される底部を有していて前記フレームを支持するシャーシを備えており、
前記シャーシの前記底部には、前記表示面反対側スペーサを通すための表示面反対側開口部が設けられている請求項５または請求項６記載の表示装置。
【請求項８】
前記表示モジュールは、前記表示パネルに対して前記表示面側とは反対側に配されて前記表示パネルの表示を制御する制御基板を備えており、
前記枠状部には、前記ベゼルの前記パネル挟持部側とは反対側に向けて突出して前記制御基板よりも外側に配される基板保護部が設けられており、
前記表示面反対側スペーサは、前記基板保護部から外側に突出するよう設けられている請求項５から請求項７のいずれか１項に記載の表示装置。
【請求項９】
前記スペーサは、前記枠状部の周方向について間隔を空けて複数が設けられている請求項１から請求項８のいずれか１項に記載の表示装置。
【請求項１０】
前記スペーサは、前記枠状部に一体に設けられる請求項１から請求項９のいずれか１項に記載の表示装置。
【発明の詳細な説明】
【技術分野】
【０００１】
本発明は、表示装置に関する。
【背景技術】
【０００２】
従来、表示装置の一例として下記特許文献１に記載されたものが知られている。この特許文献１に記載された表示装置は、表示部に含まれている。この表示部は、開口部を有して表示装置の前面を覆う第１ケースと、表示装置の背面を覆う第２ケースとを有しており、第１ケースは、開口部を取り囲む額縁部と、額縁部の全周で、額縁部から第２ケース側に直角に延びる側壁部とを有し、表示装置は、側壁部に取り囲まれた状態で、額縁部に載置され、少なくとも２以上の保持片が側壁に固着され、かつ表示装置を押し付ける。
【先行技術文献】
【特許文献】
【０００３】
【特許文献１】特開２００６−３２３８０７号公報
【発明の概要】
【発明が解決しようとする課題】
【０００４】
上記した特許文献１に記載された表示部では、表示装置が第１ケースと第２ケースとの間に挟み込まれる形で保持されているため、第１ケース及び第２ケースから表示装置に応力が作用し、その応力によって表示不良が発生するおそれがあった。
【０００５】
本発明は上記のような事情に基づいて完成されたものであって、応力に起因する表示パネルの表示品位の低下を抑制することを目的とする。
【課題を解決するための手段】
【０００６】
本発明の表示装置は、画像を表示する表示パネルと、前記表示パネルを取り囲む枠状部と前記表示パネルの外端部を板厚方向について両側から挟み込む一対のパネル挟持部とを有していて前記表示パネルと共に表示モジュールを構成するパネル保持部材と、前記表示モジュールの外端部を前記板厚方向について両側から挟み込む一対のモジュール挟持部を有するモジュール保持部材と、前記枠状部と少なくとも一方の前記モジュール挟持部との間に介在するよう配されて少なくとも一方の前記モジュール挟持部を少なくとも一方の前記パネル挟持部から離間した状態に保つスペーサと、を備える。
【０００７】
このようにすれば、表示パネルは、外端部が板厚方向について両側からパネル保持部材の一対のパネル挟持部により挟み込まれることでその保持が図られており、パネル保持部材と共に表示モジュールを構成する。表示モジュールは、外端部が板厚方向について両側からモジュール保持部材の一対のモジュール挟持部により挟み込まれることでその保持が図られる。ここで、パネル保持部材は、表示パネルと共に表示モジュールを構成しているので、表示パネルに対する一対のパネル挟持部の組み付けを高精度に行うことが可能となっており、一対のパネル挟持部による挟持に伴って表示パネルに作用する応力が表示品位に与える影響は概して軽微である。一方、モジュール保持部材は、表示モジュールに対する一対のモジュール挟持部の組み付けを高精度に行うのが困難であるため、表示モジュールの外端部が一対のモジュール挟持部により挟持されるのに伴って表示パネルに作用する応力が表示品位に悪影響を及ぼすおそれがある。その点、枠状部と少なくとも一方のモジュール挟持部との間にスペーサが介在するよう配されることで、少なくとも一方のモジュール挟持部を少なくとも一方のパネル挟持部から離間した状態に保つことができるので、表示パネルに応力が作用し難くなっている。これにより、応力に起因して表示パネルに表示不良が生じ難くなる。
【発明の効果】
【０００８】
本発明によれば、応力に起因する表示パネルの表示品位の低下を抑制することができる。
【図面の簡単な説明】
【０００９】
【図１】本発明の実施形態１に係る液晶表示装置を構成する液晶モジュールを正面側から視た分解斜視図
【図２】液晶表示装置の端部の断面図
【図３】本発明の実施形態２に係る液晶表示装置を構成する液晶モジュールを背面側から視た分解斜視図
【図４】液晶表示装置の端部の断面図
【発明を実施するための形態】
【００１０】
＜実施形態１＞
本発明の実施形態１を図１または図２によって説明する。本実施形態では、液晶表示装置（表示装置）１０について例示する。なお、各図面の一部にはＸ軸、Ｙ軸及びＺ軸を示しており、各軸方向が各図面で示した方向となるように描かれている。また、上下方向については、図２を基準とし、且つ同図上側を表側とするとともに同図下側を裏側とする。
【００１１】
液晶表示装置１０は、図１に示される外観の液晶モジュール１０Ｍを有する。液晶モジュール１０Ｍは、画像を表示する表示面１１ＤＳを有する液晶パネル（表示パネル）１１と、液晶パネル１１に対して表示に利用する光を照射する外部光源であるバックライト装置（照明装置）１２と、液晶パネル１１をバックライト装置１２に対して保持するためのベゼル１３と、を少なくとも備える。液晶パネル１１は、平面に視て横長の長方形をなしており、一対のガラス製の基板の間に液晶層を封入した周知の構成とされる。液晶パネル１１は、長辺方向がＸ軸方向と、短辺方向がＹ軸方向と、板厚方向がＺ軸方向と、それぞれ一致するよう配されている。なお、液晶パネル１１の表裏両外面側には、一対の偏光板１１Ａがそれぞれ貼り付けられている（図２を参照）。
【００１２】
バックライト装置１２は、ＬＥＤなどの光源（図示せず）を有するのに加え、図２に示すように、光源からの光に光学作用を付与しつつ液晶パネル１１に出射させるための光学部材を有している。光学部材には、光源からの光を導光する導光板１４と、導光板１４の表側に配されて導光板１４からの出射光に光学作用を付与する複数（図２では３枚）の光学シート１５と、導光板１４の裏側に配されて光を導光板１４内に戻すよう反射する反射シート１６と、が含まれる。導光板１４は、外周端面の一部が光源からの光が入射される入光端面（光源共々図示せず）とされるのに対し、表側の板面が光を出射する出光板面１４Ａとされる。導光板１４は、入光端面から入射した光源の光を板面に沿う方向に導光した後、出光板面１４Ａから液晶パネル１１側に向けて面状光として出射する。光学シート１５は、導光板１４の出光板面１４Ａに対して表側に重なる形で配されている。光学シート１５には、具体的には例えば拡散シート、レンズシート、反射型偏光シートなどが含まれる。反射シート１６は、導光板１４の裏側の板面に対して裏側に重なる形で配されている。
【００１３】
バックライト装置１２は、図２に示すように、上記した光学部材及び液晶パネル１１を一括して取り囲むフレーム（モジュール保持部材）１７と、上記した光学部材及びフレーム１７を裏側から支持するシャーシ（モジュール保持部材）１８と、を有する。フレーム１７は、例えば合成樹脂製とされており、光学部材及び液晶パネル１１の外周端部に沿って延在する横長の枠状をなす枠状部１７Ａと、液晶パネル１１の外周端部に対して裏側、つまり表示面１１ＤＳ側とは反対側に配される表示面反対側パネル挟持部（パネル挟持部）１７Ｂと、を有する。フレーム１７を構成する枠状部１７Ａは、その内周側の側面１７Ａ１が光学部材及び液晶パネル１１の各外周端面と対向するよう配されており、Ｚ軸方向についての寸法が光学部材及び液晶パネル１１の同寸法を足し合わせた値よりも大きい。枠状部１７Ａは、光学部材を取り囲む裏側部分が、液晶パネル１１を取り囲む表側部分よりも幅広とされる。枠状部１７Ａにおける外周側（液晶パネル１１側とは反対側）の側面１７Ａ２には、係止部１９が外側に突出して設けられている。係止部１９は、図１に示すように、枠状部１７ＡのうちのＹ軸方向に沿って延在する一対の短辺側部分においてＹ軸方向についての両端部付近に一対ずつ設けられている。一方、フレーム１７を構成する表示面反対側パネル挟持部１７Ｂは、図２に示すように、枠状部１７Ａにおける内周側の側面１７Ａ１から内向きに突出して液晶パネル１１の外周端部に対して裏側に重なるよう配されることで液晶パネル１１をＺ軸方向について裏側から支持する。表示面反対側パネル挟持部１７Ｂは、光学部材を構成する導光板１４及び光学シート１５をＺ軸方向について表側から押さえている。つまり、表示面反対側パネル挟持部１７Ｂは、Ｚ軸方向について液晶パネル１１と光学部材との間に介在する形で配されており、液晶パネル１１と光学部材との間の間隔を一定に保持している。シャーシ１８は、例えば金属板材からなり、光学部材及びフレーム１７の枠状部１７Ａに対して裏側に重なるよう配されることで、これらをＺ軸方向について裏側から一括して支持する底部１８Ａを有する。反射シート１６は、導光板１４とシャーシ１８の底部１８Ａとの間に挟み込まれた配置となる。
【００１４】
次に、ベゼル１３について説明する。ベゼル１３は、例えば金属板材からなり、図１に示すように、全体として液晶パネル１１の外周端部に沿って延在する横長の枠状をなしている。ベゼル１３は、図２に示すように、断面形状が略Ｌ字型をなしており、液晶パネル１１に対して表示面１１ＤＳ側に配される表示面側パネル挟持部（パネル挟持部）１３Ａと、フレーム１７の枠状部１７Ａにおける外周側の側面１７Ａ２と対向する側部１３Ｂと、を有する。ベゼル１３を構成する表示面側パネル挟持部１３Ａは、液晶パネル１１の表示面１１ＤＳに並行する板状をなしており、液晶パネル１１の外周端部に対して表側に重なるよう配されることで液晶パネル１１をＺ軸方向について表側から押さえる。従って、液晶パネル１１は、ベゼル１３を構成する表示面側パネル挟持部１３Ａと、フレーム１７を構成する表示面反対側パネル挟持部１７Ｂと、の間にＺ軸方向について表裏両側から挟み込まれており、それにより液晶モジュール１０Ｍにおける液晶パネル１１の保持が図られている。ベゼル１３を構成する側部１３Ｂは、フレーム１７の枠状部１７Ａにおける外周側の側面１７Ａ２（Ｚ軸方向）に並行する板状をなしており、表示面側パネル挟持部１３Ａにおける外周端部に連ねられるとともに上記枠状部１７Ａの外周側の側面１７Ａ２に対して外側に重ねられている。側部１３Ｂには、枠状部１７Ａの係止部１９を受け入れる係止開口部２０が設けられている。係止開口部２０は、側部１３ＢのうちのＹ軸方向に沿って延在する一対の短辺側部分においてＹ軸方向についての両端部付近に一対ずつ設けられている。係止開口部２０は、側部１３ＢにおけるＺ軸方向についての表側の端部付近に配されており、その開口縁に対して係止部１９が係止されることで、ベゼル１３をフレーム１７に対して組み付け状態に保持することが可能とされる。
【００１５】
液晶表示装置１０は、図２に示すように、上記した構成の液晶モジュール１０Ｍを保持するためのモジュール保持部材２１を有する。モジュール保持部材２１は、全体として液晶モジュール１０Ｍの外端部に沿って延在する横長の枠状をなしている。モジュール保持部材２１は、枠状をなす第１部材２１Ａと、第１部材２１Ａに対して裏側に配されて枠状をなす第２部材２１Ｂと、から構成されており、これら両部材２１Ａ，２１ＢがボスＢに対してネジＣにより固定されている。なお、このボスＢは、例えば液晶表示装置１０を移動させるための可動アームなどに設けられるのが好ましいが、必ずしもその限りではない。第１部材２１Ａは、液晶モジュール１０Ｍに対して表側（表示面１１ＤＳ側）に配される表示面側モジュール挟持部（モジュール挟持部）２２と、ボスＢに取り付けられる第１ボス取付部２３と、を有する。第２部材２１Ｂは、液晶モジュール１０Ｍに対して裏側（表示面１１ＤＳ側とは反対側）に配される表示面反対側モジュール挟持部（モジュール挟持部）２４と、ボスＢに取り付けられる第２ボス取付部２５と、を有する。表示面側モジュール挟持部２２及び表示面反対側モジュール挟持部２４は、Ｚ軸方向について間隔を空けて対向状をなしており、その間の空間に配される液晶モジュール１０ＭをＺ軸方向について両側から挟み込んで保持することができる。表示面側モジュール挟持部２２は、液晶モジュール１０Ｍの外端部に対して表側に重なるよう配されることで液晶モジュール１０ＭをＺ軸方向について表側から押さえる。表示面反対側モジュール挟持部２４は、液晶モジュール１０Ｍの外端部に対して裏側に重なるよう配されることで液晶モジュール１０ＭをＺ軸方向について裏側から支持する。また、第１ボス取付部２３及び第２ボス取付部２５は、互いに表裏に重なり合う配置とされており、ネジＣを通すための貫通孔が連通形成されている。
【００１６】
ここまで説明したように、液晶表示装置１０は、液晶パネル１１がベゼル１３及びフレーム１７の両パネル挟持部１３Ａ，１７Ｂの間に挟み込まれるのに対し、液晶モジュール１０Ｍがモジュール保持部材２１の両モジュール挟持部２２，２４の間に挟み込まれている。ここで、ベゼル１３及びフレーム１７は、液晶パネル１１と共に液晶モジュール１０Ｍを構成しているので、液晶パネル１１に対する両パネル挟持部１３Ａ，１７Ｂの組み付けを高精度に行うことが可能となっており、両パネル挟持部１３Ａ，１７Ｂによる挟持に伴って液晶パネル１１に作用する応力が表示品位に与える影響は概して軽微である。一方、モジュール保持部材２１は、液晶モジュール１０Ｍに対する両モジュール挟持部２２，２４の組み付けなどを高精度に行うのが困難であるため、液晶モジュール１０Ｍの外端部が両モジュール挟持部２２，２４により挟持されるのに伴って液晶パネル１１に作用する応力が表示品位に悪影響を及ぼすおそれがある。特に、製造元から出荷された液晶モジュール１０Ｍが、出荷先にて設計・製造されたモジュール保持部材２１により保持される場合には、液晶モジュール１０Ｍに対するモジュール保持部材２１の組み付け精度を高く保つのが困難になるため、液晶パネル１１の板面に大きな応力が作用し、プーリングと呼ばれる表示ムラが生じることが懸念される。
【００１７】
そこで、本実施形態の液晶表示装置１０は、図２に示すように、フレーム１７の枠状部１７Ａと、モジュール保持部材２１の表示面側モジュール挟持部２２と、の間に介在するよう配されるスペーサ（表示面側スペーサ）２６を備える。スペーサ２６は、フレーム１７の枠状部１７Ａに一体形成されており、枠状部１７Ａにおける表側の面から表側に向けて突出している。このような構成によれば、スペーサ２６により液晶モジュール１０Ｍに対して表示面１１ＤＳ側に配される表示面側モジュール挟持部２２を表示面側パネル挟持部１３Ａから離間した状態に保つことができるので、液晶パネル１１の表示面１１ＤＳ側に応力が作用し難くなる。これにより、液晶パネル１１にプーリングなどの表示ムラが生じ難くなり、表示品位の低下を抑制する上で好適となる。
【００１８】
上記のようなスペーサ２６が設けられた枠状部１７Ａに対して表側に重なる配置とされるベゼル１３の表示面側パネル挟持部１３Ａには、図２に示すように、スペーサ２６を通すための開口部（表示面側開口部）２７が設けられている。スペーサ２６は、枠状部１７Ａからの突出寸法が表示面側パネル挟持部１３Ａの厚みよりも大きくされている。このようにすれば、スペーサ２６は、ベゼル１３の表示面側パネル挟持部１３Ａに設けられた開口部２７に通されることで、表示面側モジュール挟持部２２における裏側の面に対して当接される。これにより、表示面側モジュール挟持部２２をベゼル１３の表示面側パネル挟持部１３Ａから離間した状態に保つことができる。しかも、この開口部２７は、枠状部１７Ａに設けられた係止部１９を通すための係止開口部２０に連通するよう設けられている。詳しくは、開口部２７及び係止開口部２０は、ベゼル１３を構成する表示面側パネル挟持部１３Ａ及び側部１３Ｂに跨る形で設けられている。開口部２７及び係止開口部２０は、開口幅がほぼ同一とされ、それにより開口縁が直線状に連なっている（図１を参照）。これにより、ベゼル１３の製造に際して係止開口部２０及び開口部２７を設けるのに要するコストの低減が図られる。
【００１９】
スペーサ２６及び開口部２７は、図１に示すように、フレーム１７の枠状部１７Ａ及びベゼル１３の表示面側パネル挟持部１３ＡのうちのＹ軸方向に沿って延在する一対の短辺側部分においてＹ軸方向についての両端部付近に一対ずつそれぞれ設けられている。つまり、スペーサ２６及び開口部２７は、フレーム１７及びベゼル１３の周方向について間隔を空けて４つずつが設けられている、と言える。このように、スペーサ２６が周方向について点状に配置されているので、仮にスペーサが枠状部１７Ａの周方向について全周にわたって延在する構成とされた場合に比べると、表示面側モジュール挟持部２２に対する接触面積が減少する。これにより、液晶モジュール１０Ｍが熱環境の変化に伴って熱膨張または熱収縮した場合にスペーサ２６と表示面側モジュール挟持部２２とが摺動するのに伴って生じ得る異音を抑制することができる。このような配置のスペーサ２６は、枠状部１７Ａに一体に設けられているから、液晶モジュール１０Ｍの出荷前の段階でモジュール保持部材２１が組み付けられていない状態において、液晶モジュール１０Ｍに備わる液晶パネル１１などに対して異物が干渉しようとした場合にその異物に対してスペーサ２６が先行して干渉することで、液晶パネル１１の保護を図ることが可能となる。
【００２０】
以上説明したように本実施形態の液晶表示装置（表示装置）１０は、画像を表示する液晶パネル（表示パネル）１１と、液晶パネル１１を取り囲む枠状部１７Ａと液晶パネル１１の外端部を板厚方向について両側から挟み込む一対のパネル挟持部である表示面側パネル挟持部１３Ａ及び表示面反対側パネル挟持部１７Ｂとを有していて液晶パネル１１と共に液晶モジュール（表示モジュール）１０Ｍを構成するパネル保持部材であるベゼル１３及びフレーム１７と、液晶モジュール１０Ｍの外端部を板厚方向について両側から挟み込む一対のモジュール挟持部である表示面側モジュール挟持部２２及び表示面反対側モジュール挟持部２４を有するモジュール保持部材２１と、枠状部１７Ａと少なくとも一方のモジュール挟持部である表示面側モジュール挟持部２２との間に介在するよう配されて少なくとも一方のモジュール挟持部である表示面側モジュール挟持部２２を少なくとも一方のパネル挟持部である表示面側パネル挟持部１３Ａから離間した状態に保つスペーサ２６と、を備える。
【００２１】
このようにすれば、液晶パネル１１は、外端部が板厚方向について両側からパネル保持部材であるベゼル１３及びフレーム１７の一対のパネル挟持部である表示面側パネル挟持部１３Ａ及び表示面反対側パネル挟持部１７Ｂにより挟み込まれることでその保持が図られており、パネル保持部材であるベゼル１３及びフレーム１７と共に液晶モジュール１０Ｍを構成する。液晶モジュール１０Ｍは、外端部が板厚方向について両側からモジュール保持部材２１の一対のモジュール挟持部である表示面側モジュール挟持部２２及び表示面反対側モジュール挟持部２４により挟み込まれることでその保持が図られる。ここで、パネル保持部材であるベゼル１３及びフレーム１７は、液晶パネル１１と共に液晶モジュール１０Ｍを構成しているので、液晶パネル１１に対する一対のパネル挟持部である表示面側パネル挟持部１３Ａ及び表示面反対側パネル挟持部１７Ｂの組み付けを高精度に行うことが可能となっており、一対のパネル挟持部である表示面側パネル挟持部１３Ａ及び表示面反対側パネル挟持部１７Ｂによる挟持に伴って液晶パネル１１に作用する応力が表示品位に与える影響は概して軽微である。一方、モジュール保持部材２１は、液晶モジュール１０Ｍに対する一対のモジュール挟持部である表示面側モジュール挟持部２２及び表示面反対側モジュール挟持部２４の組み付けを高精度に行うのが困難であるため、液晶モジュール１０Ｍの外端部が一対のモジュール挟持部である表示面側モジュール挟持部２２及び表示面反対側モジュール挟持部２４により挟持されるのに伴って液晶パネル１１に作用する応力が表示品位に悪影響を及ぼすおそれがある。その点、枠状部１７Ａと少なくとも一方のモジュール挟持部である表示面側モジュール挟持部２２との間にスペーサ２６が介在するよう配されることで、少なくとも一方のモジュール挟持部である表示面側モジュール挟持部２２を少なくとも一方のパネル挟持部である表示面側パネル挟持部１３Ａから離間した状態に保つことができるので、液晶パネル１１に応力が作用し難くなっている。これにより、応力に起因して液晶パネル１１に表示不良が生じ難くなる。
【００２２】
また、スペーサ（表示面側スペーサ）２６は、一対のモジュール挟持部である表示面側モジュール挟持部２２及び表示面反対側モジュール挟持部２４のうち液晶パネル１１に対してその表示面１１ＤＳ側に配される表示面側モジュール挟持部２２と枠状部１７Ａとの間に介在するよう配される。このようにすれば、スペーサ２６により液晶モジュール１０Ｍに対して表示面１１ＤＳ側に配される表示面側モジュール挟持部２２を表示面側パネル挟持部１３Ａから離間した状態に保つことができるので、液晶パネル１１の表示面１１ＤＳ側に応力が作用し難くなる。これにより、液晶パネル１１の表示品位の低下を抑制する上で好適となる。
【００２３】
また、パネル保持部材は、液晶パネル１１に対して表示面１１ＤＳ側に配される表示面側パネル挟持部（パネル挟持部）１３Ａを有するベゼル１３と、液晶パネル１１に対して表示面１１ＤＳ側とは反対側に配される表示面反対側パネル挟持部（パネル挟持部）１７Ｂと枠状部１７Ａとを有するフレーム１７と、から構成されており、ベゼル１３の表示面側パネル挟持部１３Ａには、スペーサ２６を通すための開口部（表示面側開口部）２７が設けられている。このようにすれば、スペーサ２６は、ベゼル１３の表示面側パネル挟持部１３Ａに設けられた開口部２７に通されることで、液晶パネル１１に対して表示面１１ＤＳ側に配される表示面側モジュール挟持部２２とフレーム１７の枠状部１７Ａとの間に介在する配置とされる。これにより、液晶モジュール１０Ｍに対して表示面１１ＤＳ側に配される表示面側モジュール挟持部２２をベゼル１３の表示面側パネル挟持部１３Ａから離間した状態に保つことができる。
【００２４】
また、フレーム１７は、枠状部１７Ａのうち液晶パネル１１側とは反対側の側面１７Ａ２から突出する係止部１９を有しており、ベゼル１３は、枠状部１７Ａの側面１７Ａ２と対向する側部１３Ｂを有していて、側部１３Ｂには、係止部１９を受け入れて係止部１９が係止される開口縁を有する係止開口部２０が、開口部２７に連通するよう設けられている。このようにすれば、フレーム１７に対してベゼル１３を組み付けると、枠状部１７Ａのうち液晶パネル１１側とは反対側の側面１７Ａ２と対向する側部１３Ｂに設けられた係止開口部２０に、枠状部１７Ａの上記側面１７Ａ２から突出する係止部１９が受け入れられる。係止部１９が係止開口部２０の開口縁に係止されることで、フレーム１７に対するベゼル１３の保持が図られる。そして、ベゼル１３には、側部１３Ｂに設けられた係止開口部２０が、表示面側パネル挟持部１３Ａに設けられた開口部２７に連通する構成とされているので、係止開口部２０及び開口部２７を設けるのに要するコストの低減が図られる。
【００２５】
また、スペーサ２６は、枠状部１７Ａの周方向について間隔を空けて複数が設けられている。このようにすれば、仮にスペーサが枠状部１７Ａの周方向について全周にわたって延在する構成とされた場合に比べると、表示面側モジュール挟持部２２に対する接触面積が減少する。これにより、液晶モジュール１０Ｍが熱環境の変化に伴って熱膨張または熱収縮した場合に生じ得る異音を抑制することができる。
【００２６】
また、スペーサ２６は、枠状部１７Ａに一体に設けられる。このようにすれば、液晶モジュール１０Ｍに対してモジュール保持部材２１を組み付ける前の段階において、液晶モジュール１０Ｍに備わる液晶パネル１１などに対して異物が干渉しようとした場合にその異物に対してスペーサ２６が先行して干渉することで、液晶パネル１１の保護を図ることが可能となる。
【００２７】
＜実施形態２＞
本発明の実施形態２を図３または図４によって説明する。この実施形態２では、フレーム１１７の構成などを変更したものを示す。なお、上記した実施形態１と同様の構造、作用及び効果について重複する説明は省略する。
【００２８】
本実施形態に係る液晶モジュール１１０Ｍは、図４に示すように、液晶パネル１１１の表示などを制御するための制御基板２８を備える。制御基板２８は、バックライト装置１１２に対して裏側に配されており、バックライト装置１１２を構成するシャーシ１１８の底部１１８Ａに対して所定の間隔を空けた位置にて固定されるとともに、例えばフレキシブル基板を介して表側の液晶パネル１１１に接続されている。制御基板２８は、図３に示すように、横長の板状をなしており、その板面に様々な電子部品が実装されるとともに導電路が配索形成されている。制御基板２８は、長辺寸法が液晶パネル１１１及びバックライト装置１１２の長辺寸法より小さいものの、Ｘ軸方向について液晶パネル１１１及びバックライト装置１１２の大部分と重畳している。
【００２９】
枠状部１１７Ａには、図４に示すように、上記した制御基板２８を保護するための基板保護部２９が設けられている。基板保護部２９は、枠状部１１７Ａにおける裏側の面からＺ軸方向に沿って裏側に向けて突出し、制御基板２８よりも外側に配されている。基板保護部２９は、図３に示すように、枠状部１１７ＡのうちのＹ軸方向に沿って延在する一対の短辺側部分に一対ずつ設けられている。つまり、基板保護部２９は、制御基板２８をその長辺方向についての両側から挟み込む形で配されている。各基板保護部２９は、Ｙ軸方向に沿って所定長さにわたって延在するリブ状をなしている。詳しくは、枠状部１１７Ａのうちの図３に示す左側の短辺側部分に設けられた一対の基板保護部２９は、同図右側の短辺側部分に設けられた一対の基板保護部２９よりもＹ軸方向についての延在長さが大きい。これら４つの基板保護部２９は、枠状部１１７Ａの一対の短辺側部分におけるＹ軸方向についての両端部に少なくとも配置されている。このようにすれば、制御基板２８に対して異物がＺ軸方向について裏側から干渉しようとした場合でも、制御基板２８よりも先に基板保護部２９に異物が干渉することで、制御基板２８への干渉が生じ難くなる。これにより、制御基板２８の保護を図ることができる。
【００３０】
そして、本実施形態に係るスペーサ１２６は、図４に示すように、フレーム１１７の枠状部１１７Ａとモジュール保持部材１２１の表示面側モジュール挟持部１２２との間に介在する表示面側スペーサ１２６αに加えて、フレーム１１７の枠状部１１７Ａとモジュール保持部材１２１の表示面反対側モジュール挟持部１２４との間に介在する表示面反対側スペーサ１２６βを含んでいる。このうち、表示面側スペーサ１２６αは、上記した実施形態１に記載したスペーサ２６と同一であるから、重複する説明は割愛する。表示面反対側スペーサ１２６βは、枠状部１１７Ａに設けられた基板保護部２９からさらにＺ軸方向に沿って外側に突出するよう設けられている。つまり、表示面反対側スペーサ１２６βは、基板保護部２９を利用して設置されており、基板保護部２９による制御基板２８の保護機能を増強している。本実施形態によれば、表示面側スペーサ１２６α及び表示面反対側スペーサ１２６βが表示面側モジュール挟持部１２２及び表示面反対側モジュール挟持部１２４と枠状部１１７Ａとの間にそれぞれ介在するよう配されることになるので、表示面側スペーサ１２６α及び表示面反対側スペーサ１２６βにより表示面側モジュール挟持部１２２及び表示面反対側モジュール挟持部１２４を表示面側パネル挟持部１１３Ａ及び表示面反対側パネル挟持部１１７Ｂからそれぞれ離間した状態に保つことができる。従って、液晶パネル１１１における表示面１１１ＤＳ側とその反対側とにそれぞれ応力が作用し難くなり、もって液晶パネル１１１の表示品位の低下を抑制する上でより好適となる。
【００３１】
表示面反対側スペーサ１２６βは、図３に示すように、枠状部１１７ＡのうちのＹ軸方向に沿って延在する一対の短辺側部分においてＹ軸方向についての両端部付近に一対ずつ設けられている。これらの表示面反対側スペーサ１２６βは、図３及び図４に示すように、枠状部１１７Ａにおける表側の面に設けられた各表示面側スペーサ１２６αと平面に視てそれぞれ重畳する配置とされている。このようにすれば、液晶モジュール１１０Ｍが表示面側モジュール挟持部１２２及び表示面反対側モジュール挟持部１２４によって挟持されるのに伴って枠状部１１７Ａに対して表示面側スペーサ１２６α及び表示面反対側スペーサ１２６βを介してそれぞれ応力が作用しても、それらの応力が作用する位置が枠状部１１７Ａの周方向について同じ位置となるから、剪断応力として枠状部１１７Ａに作用し難くなる。これにより、液晶モジュール１１０Ｍの枠状部１１７Ａに歪みなどの変形が生じ難くなる。
【００３２】
上記のような基板保護部２９及び表示面反対側スペーサ１２６βが設けられた枠状部１１７Ａに対して裏側に重なる配置とされるシャーシ１１８の底部１１８Ａには、図４に示すように、基板保護部２９及び表示面反対側スペーサ１２６βを通すための表示面反対側開口部３０が設けられている。なお、表示面側スペーサ１２６αを通すために表示面側パネル挟持部１１３Ａに設けられた開口部１２７は、「表示面側開口部」である、と言える。このようにすれば、表示面反対側スペーサ１２６βは、シャーシ１１８の底部１１８Ａに設けられた表示面反対側開口部３０に通されることで、表示面反対側モジュール挟持部１２４における表側の面に対して当接される。これにより、表示面反対側モジュール挟持部１２４をシャーシ１１８の底部１１８Ａから離間した状態に保つことができる。
【００３３】
以上説明したように本実施形態によれば、スペーサ１２６は、一対のモジュール挟持部である表示面側モジュール挟持部１２２及び表示面反対側モジュール挟持部１２４のうち液晶パネル１１１に対して表示面１１１ＤＳ側とは反対側に配される表示面反対側モジュール挟持部１２４と枠状部１１７Ａとの間に介在するよう配される表示面反対側スペーサ１２６βを含む。このようにすれば、表示面側スペーサ１２６α及び表示面反対側スペーサ１２６βが一対のモジュール挟持部である表示面側モジュール挟持部１２２及び表示面反対側モジュール挟持部１２４と枠状部１１７Ａとの間にそれぞれ介在するよう配されることになるので、表示面側スペーサ１２６α及び表示面反対側スペーサ１２６βにより一対のモジュール挟持部である表示面側モジュール挟持部１２２及び表示面反対側モジュール挟持部１２４を一対のパネル挟持部である表示面側パネル挟持部１１３Ａ及び表示面反対側パネル挟持部１１７Ｂからそれぞれ離間した状態に保つことができる。従って、液晶パネル１１１における表示面１１１ＤＳ側とその反対側とにそれぞれ応力が作用し難くなり、もって液晶パネル１１１の表示品位の低下を抑制する上でより好適となる。
【００３４】
また、表示面側スペーサ１２６α及び表示面反対側スペーサ１２６βは、重畳配置されている。液晶モジュール１１０Ｍのうち、一対のモジュール挟持部である表示面側モジュール挟持部１２２及び表示面反対側モジュール挟持部１２４によって挟持される枠状部１１７Ａには、表示面側スペーサ１２６α及び表示面反対側スペーサ１２６βを介して応力が作用する。これに対し、表示面側スペーサ１２６α及び表示面反対側スペーサ１２６βが重畳配置されているので、液晶モジュール１１０Ｍの枠状部１１７Ａには剪断応力が作用し難くなる。これにより、液晶モジュール１１０Ｍの枠状部１１７Ａに歪みなどの変形が生じ難くなる。
【００３５】
また、液晶モジュール１１０Ｍは、枠状部１１７Ａに対してベゼル１１３の表示面側パネル挟持部１１３Ａ側とは反対側に配される底部１１８Ａを有していてフレーム１１７を支持するシャーシ１１８を備えており、シャーシ１１８の底部１１８Ａには、表示面反対側スペーサ１２６βを通すための表示面反対側開口部が設けられている。このようにすれば、表示面反対側スペーサ１２６βは、シャーシ１１８の底部１１８Ａに設けられた表示面反対側開口部に通されることで、液晶モジュール１１０Ｍに対して表示面１１１ＤＳ側とは反対側に配される表示面反対側モジュール挟持部１２４とフレーム１１７の枠状部１１７Ａとの間に介在する配置とされる。これにより、液晶モジュール１１０Ｍに対して表示面１１１ＤＳ側とは反対側に配される表示面反対側モジュール挟持部１２４をフレーム１１７の表示面反対側パネル挟持部１１７Ｂから離間した状態に保つことができる。
【００３６】
また、液晶モジュール１１０Ｍは、液晶パネル１１１に対して表示面１１１ＤＳ側とは反対側に配されて液晶パネル１１１の表示を制御する制御基板２８を備えており、枠状部１１７Ａには、ベゼル１１３の表示面側パネル挟持部１１３Ａ側とは反対側に向けて突出して制御基板２８よりも外側に配される基板保護部２９が設けられており、表示面反対側スペーサ１２６βは、基板保護部２９から外側に突出するよう設けられている。このようにすれば、基板保護部２９は、枠状部１１７Ａからベゼル１１３の表示面側パネル挟持部１１３Ａ側とは反対側に向けて突出して制御基板２８よりも外側に配されているから、外部の異物などが制御基板２８に干渉し難くなって制御基板２８の保護が図られる。この基板保護部２９を利用して表示面反対側スペーサ１２６βの設置を行うことができる。また、表示面反対側スペーサ１２６βは、基板保護部２９からさらに外側に突出しているから、制御基板２８の保護機能がより高いものとなる。
【００３７】
＜他の実施形態＞
本発明は上記記述及び図面によって説明した実施形態に限定されるものではなく、例えば次のような実施形態も本発明の技術的範囲に含まれる。
（１）上記した各実施形態では、スペーサ（表示面側スペーサ及び表示面反対側スペーサ）がフレームの枠状部に一体に設けられた場合を示したが、スペーサをモジュール保持部材に一体に設けることも可能である。また、スペーサをフレームの枠状部とモジュール保持部材との双方にそれぞれ一体に設けることも可能である。
（２）上記した（１）以外にも、スペーサをフレームやモジュール保持部材とは別部品として製造し、スペーサをフレームやモジュール保持部材に対して取り付けて接着剤などにより固定を図るようにしても構わない。
（３）上記した各実施形態以外にも、枠状部におけるスペーサの配置や設置数や形成範囲などは適宜に変更可能である。例えば、スペーサが枠状部の短辺側部分における延在方向の中央側に配されてもよい。また、スペーサが枠状部の長辺側部分に設けられていてもよい。また、スペーサが枠状部における短辺側部分や長辺側部分においてその延在方向に並行するよう延在する形成範囲となっていてもよい。また、スペーサが枠状部における短辺側部分や長辺側部分において１つのみまたは３つ以上設けられていても構わない。
（４）上記した実施形態１では、開口部が係止開口部に連通する場合を示したが、開口部と係止開口部とが非連通となるよう設けられていても構わない。
（５）上記した実施形態２の変形例として、表示面側スペーサを省略し、スペーサが表示面反対側スペーサのみからなる構成であっても構わない。
（６）上記した実施形態２では、基板保護部に表示面反対側スペーサが設けられた構成を示したが、基板保護部を省略し、表示面反対側スペーサを枠状部における裏側の面から突出する形で設けることも可能である。
（７）上記した実施形態２に記載した基板保護部を、実施形態１に記載した構成のフレームに設けることも勿論可能である。
（８）上記した各実施形態では、シャーシが底部からなる場合を示したが、シャーシが底部と底部における外端部から表側に向けて立ち上がる側部とから構成されていてもよい。その場合、シャーシの側部は、フレームの枠状部における外周側の側面と対向しつつベゼルの側部と重なり合う配置とすることが可能である。
（９）上記した各実施形態では、フレームの枠状部から係止部が外側に向けて突出し、ベゼルの側部に係止部を受け入れる係止開口部が設けられる構成を示したが、ベゼルの側部に係止凸部を設け、フレームの枠状部に係止凸部を受け入れる係止凹部を設けるようにしてもよい。
（１０）上記した各実施形態では、モジュール保持部材を構成する第１部材及び第２部材が共に枠状をなす場合を示したが、モジュール保持部材の具体的な構成は適宜に変更可能である。例えば、第１部材は枠状をなすものの、第２部材は表側に開口した箱型をなしていてもよい。また、モジュール保持部材が一部品であってもよい。
（１１）上記した各実施形態では、液晶モジュールを保持するためのモジュール保持部材を構成する第１部材及び第２部材がボス及びネジにより固定される場合を示したが、第１部材及び第２部材の具体的な固定方法は適宜に変更可能である。例えば、第１部材及び第２部材の一方に爪部を設け、他方に爪部が係止される爪係止部を設けるようにしてもよい。
（１２）上記した各実施形態以外にも、バックライト装置が備える光学シートの具体的な種類や使用枚数や積層順などは適宜に変更可能である。
（１３）上記した各実施形態では、エッジライト型のバックライト装置を例示したが、直下型のバックライト装置であっても構わない。
（１４）上記した各実施形態では、外部光源であるバックライト装置を備えた透過型の液晶表示装置を例示したが、外光を利用して表示を行う反射型液晶表示装置でもよく、その場合はバックライト装置を省略することができる。また、半透過型の液晶表示装置でも構わない。
（１５）上記した各実施形態では、表示パネルとして液晶パネルを例示したが、他の種類の表示パネル（ＰＤＰ（プラズマディスプレイパネル）、有機ＥＬパネル、ＥＰＤ（電気泳動ディスプレイパネル）、ＭＥＭＳ（Micro Electro Mechanical Systems）表示パネルなど）であっても構わない。このうち、有機ＥＬパネルを用いた場合はバックライト装置を省略することができる。
【符号の説明】
【００３８】
１０…液晶表示装置（表示装置）、１０Ｍ，１１０Ｍ…液晶モジュール（表示モジュール）、１１，１１１…液晶パネル（表示パネル）、１１ＤＳ，１１１ＤＳ…表示面、１３，１１３…ベゼル（パネル保持部材）、１３Ａ，１１３Ａ…表示面側パネル挟持部（パネル挟持部）、１３Ｂ…側部、１７，１１７…フレーム（パネル保持部材）、１７Ａ，１１７Ａ…枠状部、１７Ａ２…側面、１７Ｂ，１１７Ｂ…表示面反対側パネル挟持部（パネル挟持部）、１８，１１８…シャーシ、１８Ａ，１１８Ａ…底部、１９…係止部、２０…係止開口部、２１，１２１…モジュール保持部材、２２，１２２…表示面側モジュール挟持部（モジュール挟持部）、２４，１２４…表示面反対側モジュール挟持部（モジュール挟持部）、２６，１２６…スペーサ（表示面側スペーサ）、２７，１２７…開口部（表示面側開口部）、２８…制御基板、２９…基板保護部、３０…表示面反対側開口部、１２６α…表示面側スペーサ、１２６β…表示面反対側スペーサ
【図１】
2019109385.tif 000003
【図２】
2019109385.tif 000004
【図３】
2019109385.tif 000005
【図４】
2019109385.tif 000006